(57)【要約】【課題】微調整スタンドにレーザ墨出し器を取付けた状態で、レーザ墨出し器の水準調整が容易に実現でき、またレーザ墨出し器を微調整スタンドに載せた状態で三脚上に取付けても、回転方向の微調整及び水準調整が簡単に実行できるレーザ照射ユニットの提供。【解決手段】固定ベース２０に回転テーブル３０を回転可能に嵌合して微調整スタンドを構成し、調整ネジ４２の回転で回転テーブルを微小回転させる。墨出し器の脚部１２は脚部本体１７を回転させると、円柱部１６が脚部本体に対して軸方向に移動する。微調整スタンド上でレーザ墨出し器１０の水準調整ができるように回転テーブルの上部当接面３２Ａと墨出し器の脚１２の当接面１７Ｂとを当接配置する。【選択図】  図４
2004205260.tif 000002
【特許請求の範囲】
【請求項１】
半導体レーザユニットとレンズを内蔵し、垂直レーザ光、水平レーザ光を照射可能なレーザ墨出し器本体と、該レーザ墨出し器本体の下部に設けられ、長さ方向に移動可能な複数の脚部とを備えて水準調整が可能なレーザ墨出し器を有するレーザ照射システムにおいて、
固定ベースと、該固定ベースに嵌合載置され該固定ベースに対して回転可能であると共に、上面が該脚部と当接する回転テーブルとを有する微調整スタンドを備え、該微調整スタンド内に回転テーブル微小回転調整機構を備えたことを特徴とするレーザ照射システム。
【請求項２】
該回転テーブル微小回転調整機構は、該固定ベースに固設されたピンと、該回転テーブルに螺合して設けられ、該ピンと係合する調整ネジとを有し、該調整ネジの螺進退により、該ピンを水平方向に付勢して該回転テーブルを微小回転させることを特徴とする請求項１記載のレーザ照射システム。
【請求項３】
三脚の頂部に固定可能で回転阻止面を備えるアダプタが設けられ、該固定ベースには該アダプタの回転阻止面と嵌合する嵌合面が形成されると共に該固定ベースを該アダプタに固定するための固定手段が設けられていることを特徴とする請求項１記載のレーザ照射システム。
【請求項４】
該回転テーブルには、該レーザ墨出し器のそれぞれの脚部を固定するための弾性体のバンドが設けられていることを特徴とする請求項１記載のレーザ照射システム。
【請求項５】
該回転テーブルは該脚部を挿通させる円形穴が形成された座部が設けられ、該脚部は該座部の上面に当接配置されると共に、該バンドは該回転テーブルの回転軸心側にずれた位置にて該円形穴に固定されていることを特徴とする請求項４記載のレーザ照射システム。
【請求項６】
半導体レーザユニットとレンズを内蔵し垂直レーザ光、水平レーザ光を照射可能なレーザ墨出し器本体と、該レーザ墨出し器本体の下部に設けられ長さ方向に移動可能な複数の脚部とを備えて水準調整が可能なレーザ墨出し器を支持するための微調整スタンドであって、
固定ベースと、
該固定ベースに嵌合載置され該固定ベースに対して回転可能であると共に、上面が該脚部と当接する回転テーブルとを有し、該固定ベースと該回転テーブルとの間に回転テーブル微小回転調整機構を備えたことを特徴とするレーザ墨出し器用微調整スタンド。
【請求項７】
該回転テーブル微小回転調整機構は、該固定ベースに固設されたピンと、該回転テーブルに螺合して設けられ、該ピンと係合する調整ネジとを有し、該調整ネジの螺進退により、該ピンを水平方向に付勢して該回転テーブルを微小回転させることを特徴とする請求項６記載のレーザ墨出し器用微調整スタンド。
【請求項８】
三脚の頂部に固定可能で回転阻止面を備えるアダプタが設けられ、該固定ベースには該アダプタの回転阻止面と嵌合する嵌合面が形成されると共に該固定ベースを該アダプタに固定するための固定手段が設けられていることを特徴とする請求項６記載のレーザ墨出し器用微調整スタンド。
【請求項９】
該回転テーブルには、該レーザ墨出し器のそれぞれの脚部を固定するための弾性体のバンドが設けられていることを特徴とする請求項６記載のレーザ墨出し器用微調整スタンド。
【請求項１０】
該回転テーブルは該脚部を挿通させる円形穴が形成された座部が設けられ、該脚部は該座部の上面に当接配置されると共に、該バンドは該回転テーブルの回転軸心側にずれた位置にて該円形穴に固定されていることを特徴とする請求項９記載のレーザ墨出し器用微調整スタンド。
【発明の詳細な説明】
【０００１】
【発明の属する技術分野】
本発明は、レーザ照射システムに関し、特に、建築作業などに使用されるレーザ墨出し器の照射ラインと基準線の合せを容易にするための微調整スタンドを備えたレーザ照射システムに関する。本発明はまた、レーザ墨出し器用の微調整スタンドに関する。
【０００２】
【従来の技術】
半導体レーザを用い、レンズを介して垂直ライン、水平ラインや複合ラインを照射するレーザ墨出し器を使用して、建築現場などで床等の加工対象面に直線状のレーザ光を所定の照射角度範囲（例えば１７０度）で照射して、レーザ光に沿って墨線を描くいわゆる墨出し作業が行われる。例えば複数の蛍光灯を一列に天井に設置するために天井面に蛍光灯のはめ込み枠の位置を示す墨線を描く場合がある。天井面に対して正確に墨線を描くことは一般に困難であるので、図１４に示されるように、床Ｆに蛍光灯の設置場所を示す基準線Ｒを予め描いておき、レーザ墨出し器１１０からのレーザ照射ラインを基準線Ｒに合致させると、上述した照射角度範囲（１７０度）に渡り、床上にラインａｂ、垂直壁Ｗにラインｂｃ、天井にラインｃｄのレーザ光が描かれる。天井面のラインｃｄは、床Ｆのラインａｂと同一鉛直面内にあれば、天井面Ｃにも基準線Ｒと平行なレーザ光が描かれたことになるので、該天井面のレーザ光ｃｄに沿って墨線を描くことができる。
【０００３】
レーザ墨出し器は接地面が傾斜している場合、機体を水平にするための水準調整が可能であり、一般的には、墨出し器本体の複数の脚をねじ嵌合とし、墨出し器本体に対して脚を回すことによる螺進退によって脚の長さを調整することで水準調整が行われる。また幅方向の回転操作は、墨出し器本体の軸心を中心とした調整角度が０．０１°〜０．０２°と極めて小さいために、手作業でレーザ墨出し器本体を回して合わせる作業は極めて困難である。そこで、レーザ墨出し器の水平方向回転の微調整機構を備えた装置が提案されている（例えば特許文献１参照）。
【０００４】
特許文献１では、垂直方向に延びる脚を備えた固定ブロックと固定ブロック上で回転する回転ブロックとを具備する微調整スタンドと、回転ブロック上に装備されたレーザ墨出し器とを備えたレーザ照射システムについて記載している。回転ブロックはレーザ墨出し器を載置固定する回転台と、回転台を回転可能に支持する回転支持基盤と、回転支持基盤に設けられた回転微調整部とを有する。レーザ墨出し器からのレーザ光の水平方向を概ね設定した後に、回転微調整部を操作して、回転支持基盤に対する回転台のスライド回転を微調整でき、レーザ光の照射方向が微調整される。
【０００５】
【特許文献１】
特開２００１−４３７８号公報（図１乃至図６）
【０００６】
【発明が解決しようとする課題】
ここで、従来のレーザ墨出し器を直接床上に置いて水準調整をするときは、墨出し器本体の脚がねじ嵌合となっているため、脚を回すことによる螺進退によって比較的容易に水準調整が可能である。しかし、レーザ墨出し器を三脚上で使用する場合には、三脚の脚の出し入れで水準調整をする必要があり、水準調整が極めて面倒であった。また、特開２００１−４３７８号公報記載の装置では、レーザ墨出し器を回転ブロックに載置した状態での水準調整については、具体的な提案がされていない。
【０００７】
そこで本発明は、微調整スタンドにレーザ墨出し器を取付けた状態で、レーザ墨出し器の水準調整が容易に実現でき、またレーザ墨出し器を微調整スタンドに載せた状態で三脚上に取付けても、回転方向の微調整及び水準調整が簡単に実行できるレーザ照射システム、及び、レーザ墨出し器用微調整スタンドを提供することを目的とする。
【０００８】
【課題を解決するための手段】
上記目的を達成するために、本発明は、半導体レーザユニットとレンズを内蔵し、垂直レーザ光、水平レーザ光を照射可能なレーザ墨出し器本体と、該レーザ墨出し器本体の下部に設けられ長さ方向に移動可能な脚部とを備えて水準調整が可能なレーザ墨出し器を有するレーザ照射システムにおいて、固定ベースと、該固定ベースに嵌合載置され該固定ベースに対して回転可能であると共に、上面が該脚部と当接する回転テーブルとを有する微調整スタンドを備え、該微調整スタンド内に回転テーブル微小回転調整機構を備えたレーザ照射システムを提供している。
【０００９】
ここで、該回転テーブル微小回転調整機構は、該固定ベースに固設されたピンと、該回転テーブルに螺合して設けられ、該ピンと係合する調整ネジとを有し、該調整ネジの螺進退により、該ピンを水平方向に付勢して該回転テーブルを微小回転させる。
【００１０】
また、三脚の頂部に固定可能で回転阻止面を備えるアダプタが設けられ、該固定ベースには該アダプタの回転阻止面と嵌合する嵌合面が形成されると共に該固定ベースを該アダプタに固定するための固定手段が設けられている。
【００１１】
また、該回転テーブルには、該レーザ墨出し器のそれぞれの脚部を固定するための弾性体のバンドが設けられている。ここで、該回転テーブルは該脚部を挿通させる円形穴が形成された座部が設けられ、該脚部は該座部の上面に当接配置されると共に、該バンドは該回転テーブルの回転軸心側にずれた位置にて該円形穴に固定されている。
【００１２】
本発明は更に、半導体レーザユニットとレンズを内蔵し垂直レーザ光、水平レーザ光を照射可能なレーザ墨出し器本体と、該レーザ墨出し器本体の下部に設けられ長さ方向に移動可能な複数の脚部とを備えて水準調整が可能なレーザ墨出し器を支持するための微調整スタンドであって、固定ベースと、該固定ベースに嵌合載置され該固定ベースに対して回転可能であると共に、上面が該脚部と当接する回転テーブルとを有し、該固定ベースと該回転テーブルとの間に回転テーブル微小回転調整機構を備えたレーザ墨出し器用微調整スタンドを提供している。
【００１３】
ここで、該回転テーブル微小回転調整機構は、該固定ベースに固設されたピンと、該回転テーブルに螺合して設けられ、該ピンと係合する調整ネジとを有し、該調整ネジの螺進退により、該ピンを水平方向に付勢して該回転テーブルを微小回転させる。
【００１４】
また、三脚の頂部に固定可能で回転阻止面を備えるアダプタが設けられ、該固定ベースには該アダプタの回転阻止面と嵌合する嵌合面が形成されると共に該固定ベースを該アダプタに固定するための固定手段が設けられている。
【００１５】
また該回転テーブルには、該レーザ墨出し器のそれぞれの脚部を固定するための弾性体のバンドが設けられている。ここで、該回転テーブルは該脚部を挿通させる円形穴が形成された座部が設けられ、該脚部は該座部の上面に当接配置されると共に、該バンドは該回転テーブルの回転軸心側にずれた位置にて該円形穴に固定されている。
【００１６】
【発明の実施の形態】
本発明の第１の実施形態によるレーザ照射システムについて図１乃至図７を参照して説明する。図１はレーザ照射システム１の全体を示しており、レーザ墨出し器１０と、固定ベース２０と、レーザ墨出し器１０を載置し固定ベース２０に支持される回転テーブル３０と、微小回転調整部４０とを有する。
【００１７】
レーザ墨出し器１０は、図示せぬ半導体レーザユニットと図示せぬレンズを内蔵する墨出し器本体１１及び複数の（３本）脚部１２を有する。墨出し器本体１１の上部及び中央部には、それぞれ垂直ラインを所定角度範囲で照射するための垂直照射口１３と、水平ラインを所定角度範囲で照射するための水平照射口１４が形成されている。例えば、垂直ライン照射口１３からは図１４に示されるように、約１７０度の範囲に亘って垂直光が照射可能である。
【００１８】
脚部１２は、墨出し器本体１１の下部から水平方向に突出して設けられた腕部１５と、腕部１５から鉛直下方に突出し、先端に雄ネジ部１６Ａが形成された円柱部１６（図４）と、円柱部１６の外周側に位置する脚部本体１７とを有する。脚部本体１７は、その上部に位置する回転操作部１７Ａと、ネジ部１６Ａと螺合する雌ネジ部１７ａとを有する。回転操作部１７Ａはその外周面がローレット加工されると共に、段部をなす下端面は回転テーブル３０の上面と当接する当接面１７Ｂをなす。回転操作部１７Ａを回転させることにより、雌ネジ部１７ａが雄ネジ１６Ａに対して螺進退し、当接面１７Ｂが回転テーブル３０の上面と当接した状態で、円柱部１６が脚部本体１７に対して軸方向に移動する。
【００１９】
固定ベース２０は、回転テーブル３０を回転可能に支持するために設けられ、脚部本体１７の下部を収容する脚収容部２１と、円筒部２２とを有する。円筒部２２の上部には、後述する回転テーブル３０の下方環状凸部３４の外周面と嵌合する小径穴部２２ａが形成され、円筒部２２の下部には、後述するアダプタ５０と嵌合する大径穴部２２ｂが形成されている。又固定ベース２０には、後述する微小回転調整機構の一部をなすピン４１が立設固定されている。大径穴部２２ｂは断面が真円ではなく、図７（Ｂ）に示されるように一部に弦部２２ｃが設けられて厚肉となる形状である。
【００２０】
回転テーブル３０は、墨出し器本体１１の下部と嵌合する上方環状突起部３１と、脚部１２を挿入させる座部３２と、微小回転調整機構の外枠部３３と、下方環状凸部３４とからなる一体物である。墨出し器本体１１の下端部は、円形の凹部が形成されて、上方環状突起部３１の外周面側にルーズに嵌合配置される。ここで上方環状突起３１の外径は、墨出し器本体１１の下端部の円形凹部の内径よりも小さく形成されて両者間に隙間が提供され、墨出し器１０を回転テーブル３０上に載置したとき、墨出し器１０の回転軸心は回転テーブル３０の回転軸心３０ａとほぼ一致するように構成されるが、墨出し器本体１１は、回転テーブル３０に対して、隙間分だけ横方向に僅かに変位可能である。座部３２の頂面は脚部１２の回転操作部１７Ａの当接面１７Ｂと当接する上部当接面３２Ａをなす。また座部３２は脚部本体１７を挿通させる円形穴が形成されており、円形穴の内径は、脚部１２の外径よりも僅かに大きく両者間に隙間が形成されており、脚部１２は座部３２の内周面内で僅かに横方向に移動可能である。よって傾斜した設置面上にレーザ照射システムを設置した場合であっても、上記隙間によって、傾斜に見合った水準調整が可能となる。
【００２１】
回転テーブル３０を固定ベース２０上に載置したとき、下方環状凸部３４の外周面は、固定ベース２０の小径穴部２２ａに回転可能に嵌合し、墨出し器１０と回転テーブル３０と、固定ベース１０が軸心３０ａを中心に同軸配置可能となる。また、下方環状凸部３４の下端面には、ネジを介してプレート３５が固定される。プレート３５の外縁は固定ベース２０に重なり、よって回転テーブル３０は固定ベース２０に離脱不能に取付けられる。上記固定ベース２０と回転テーブル３０とにより微調整スタンドが構成される。
【００２２】
微小回転調整部４０は、上述したピン４１と、ピン４１に係合し、外枠部３３に支持された調節ネジ４２と、調節ネジ４２の一端に固定されたノブ４３とを有する。図５に示されるように、調節ネジ４２は、外枠部３３の雌ネジ３３ａに螺合する大径雄ネジ部４２Ａと、中間小径部４２Ｂとフランジ部４２Ｃと外枠部３３に形成された貫通穴３３ｂに対して摺動するスライド軸部４２Ｄとを有する。中間小径部４２Ｂの軸方向長さは、ピン４１の先端部の直径と略同一であり、大径雄ネジ部４２Ａの先端面とフランジ部４２Ｃとの間にピン４１の先端が係合される。ノブ４３を回転操作すると、調節ネジ４２が軸方向に移動しようとする。しかし、ピン４１は固定ベース２０に固定されているので、調節ネジ４２の移動が妨げられ、相対的に回転テーブル３０の外枠部３３が調節ネジ４２に対して移動し、結果的に回転テーブル３０が軸心３０ａを中心に微小回転することで、回転テーブル３０上に載置されたレーザ墨出し器１０が微小回転し、レーザ光の水平方向に関する照射角度が調整可能となる。
【００２３】
図６に示されるように、レーザ墨出し器１０を回転テーブル３０と固定ベース２０とによる微調整スタンドを介して三脚６０上にセットする必要があるときは、図７に示されるようにアダプタ５０を三脚６０にねじ６１で固定する。上述したように、アダプタ５０は固定ベース２０の大径穴部２２ｂに嵌合可能に設けられる。固定ベース２０の厚肉弦部２２ｃには、断面が直線上の嵌合面２２ｄが形成されると共に固定ノブ５２が螺合され、アダプタ５０の上側リブ５１には、嵌合面２２ｄと嵌合する直線状の回転阻止面５１ａが形成されている。そして固定ノブ５２の先端が回転阻止面５１ａを押圧可能に構成されている。よって、固定ベース２０はアダプタ５０に対して回転不能に嵌合した状態で、アダプタ５０に固着される。
【００２４】
レーザ墨出し器１０を単体で使用するときは、従来と同様に、３本の脚部本体１７の先端を床上に設置し、それぞれの回転操作部１７Ａを回転操作することにより、それぞれの脚部本体１７に対してそれぞれの円柱部１６が軸方向に移動することで、レーザ墨出し器１０の水準が調整できる。
【００２５】
図１に示されるように、レーザ墨出し器１０を微調整スタンドに載置したときは、微小回転調整と、水準調整の両方が実現できる。水準調整は、レーザ墨出し器１０の回転操作部１７Ａを回転操作することにより、脚部本体１７に対して円柱部１６の軸方向位置が変化する。このとき回転操作部１７Ａの当接面１７Ｂは回転テーブル３０の上部当接面３２Ａと当接しているので、それぞれの座部３２に対して、それぞれの円柱部１６の高さが個別的に調整できるので、回転テーブル３０上にレーザ墨出し器１０をセットした状態で、水準調整が可能となる。またこの状態で、ノブ４３を回転操作することで、回転テーブル３０を固定ベース２０上で微少角度回転でき、レーザ光の水平方向の微調整が可能となる。
【００２６】
図６に示されるように、レーザ照射システム１を三脚上に取付けた場合には、アダプタ５０は三脚６０の上部に固定され、固定ベース２０はアダプタ５０に対して回転不能に嵌合しており、固定ベース２０に設けられた固定ノブ５２によって固定ベースはアダプタ５０に固定されるので、ノブ４３を操作したときに固定ベース２０が回転することを阻止しつつ、回転テーブル３０が固定ベース２０に対して微小回転可能となる。また、図１の状態と同様にしてレーザ墨出し器１０の水準調整が可能となる。
【００２７】
本発明の第２の実施形態によるレーザ照射システムについて図８乃至図１３を参照して説明する。これらの図において、第１の実施の形態におけるレーザ照射システム１と同一の部材は同一の番号を付し、説明を省略する。第１の実施の形態によるレーザ照射システム１０１では、上方環状突起３１の外径が墨出し器本体１１の下端部の円形凹部の内径よりも小さく形成されて両者間に隙間が提供されると共に、座部３２の内径が脚部１２の外径よりも僅かに大きく形成されて両者間に隙間が形成され、そのことにより、傾斜した設置面上にレーザ照射システム１を設置した場合であっても、上記隙間によって、傾斜に見合った水準調整が可能となる。しかし、この隙間によってレーザ墨出し器１０が微調整スタンドに対して横方向にずれる可能性がある。また、水準調整のためにレーザ墨出し器１０の脚部１２を伸縮させるので、微調整スタンドの回転テーブル３０上にレーザ墨出し器１０を単に載置する構成であるため、移動や運搬時にレーザ墨出し器１０を微調整スタンドから転倒、落下させてしまうおそれがある。第２の実施の形態によるレーザ照射システムは、かかる問題点を解消している。
【００２８】
図９、図１０、図１１において、回転テーブル１３０の座部１３２の穴の中心よりも、回転軸心３０ａ側には、凹溝１３２ａが形成され、凹溝１３２ａには弾性体からなる円形状のバンド７０が配設されている。この円形バンド７０は、脚部１７が挿通する座部１３２の穴に対して横断する位置にある。
【００２９】
図１３に示される拡大図によれば、上方環状突起３１の外径は墨出し器本体１１の下端部の円形凹部の内径よりも小さく形成されて両者間に隙間Ｓ１が提供されると共に、座部１３２の内径が脚部本体１７の外径よりも僅かに大きく形成されて両者間に隙間Ｓ２が形成されている。
【００３０】
図８、図１２、図１３は微調整スタンド上にレーザ墨出し器１０を載置した状態を示しており、第１の実施の形態と同様に、回転テーブル１３０の座部１３２にレーザ墨出し器１０の脚部本体１７を入れた状態で、バンド７０にてレーザ墨出し器１０の腕部１５が弾性的に固定される。微調整スタンドの回転テーブル１３０上で、レーザ墨出し器１０の水準調整を行うと、レーザ墨出し器１０の脚部１２において、円柱部１２が脚部本体１７に対して軸方向に移動し、その移動量に追従してバンド７０が伸縮する。よって、上方環状突起３１と墨出し器本体１１の下端部の円形凹部の間の隙間Ｓ１や座部１３２の内周面と脚部本体１７の外周面との間の隙間Ｓ２があっても、レーザ墨出し器１０をガタツキなく微調整スタンドに固定することができる。また、バンド７０は座部１３２の穴の中心位置よりやや軸心３０ａ側を横断しているため、脚部本体１７を座部１３２に挿入すると、バンド７０の弾性力により脚部１２は軸心３０ａに関して半径方向外方に均等に付勢され、レーザ墨出し器１０と微調整スタンドの回転中心のずれが抑制される。また微調整スタンドとレーザ墨出し器１０を互いに固定した状態で、レーザ墨出し器１０を傾斜させて水準調整ができる。
【００３１】
本発明によるレーザ照射システムは上述した実施の形態に限定されず、特許請求の範囲に記載した範囲で種々の変形や改良が可能である。例えば、固定ベース２０とアダプタ５０との嵌合は、図７に示される形状に限定されず、固定ベース側に凹部又は凸部形状の係合部を設け、アダプタ側に凸部又は凹部を設けて、係合部と係合するようにしてもよい。
【００３２】
【発明の効果】
請求項１記載のレーザ照射システム及び請求項６記載のレーザ墨出し器用微調整スタンドによれば、微調整スタンドにレーザ墨出し器を載置する際、回転テーブルの上面にレーザ墨出し器の脚を当接させることにより、微調整スタンド上で脚部の移動を調整することでレーザ墨出し器の水準調整が可能となる。また微小回転調整機構を持たない既存のレーザ墨出し器を本発明の微調整スタントに取付けて使用することができる。更に、レーザ墨出し器を微調整スタンドに載置した状態で微少回転調整機構を操作することにより、レーザ光の水平方向の照射方向を微調整できる。
【００３３】
請求項２記載のレーザ照射システム及び請求項７記載のレーザ墨出し器用微調整スタンドによれば、ピンと調整ネジとの組合せのみで、これらの係合関係を保持した状態で調整ネジを螺進退させることにより、ピンを押圧して固定ベースに対して回転テーブルを微小角度回転させることができ、少ない部品点数にて水平方向のレーザ照射角度を容易に調整することができる。
【００３４】
請求項３記載のレーザ照射システム及び請求項８記載のレーザ墨出し器用微調整スタンドによれば、微調整スタンドを三脚上で使う場合、アダプタと固定手段とにより固定ベースを三脚に固定でき、三脚上で回転テーブルの微小回転調整や水準調整が可能となる。
【００３５】
請求項４記載のレーザ照射システム及び請求項９記載のレーザ墨出し器用微調整スタンドによれば、レーザ墨出し器を微調整スタンドに固定するバンドを弾性材としたことにより、微調整スタンドにレーザ墨出し器を固定した状態で、レーザ墨出し器を傾斜させて水準調整ができる。
【００３６】
請求項５記載のレーザ照射システム及び請求項１０記載のレーザ墨出し器用微調整スタンドによれば、脚部が挿通する穴にバンドが横断する位置にバンドを配置させることができ、脚部挿入時に脚部はバンドの弾性力で半径方向外方側に付勢される。よってレーザ墨出し器と回転テーブル間の嵌合部のがたつきがなくなるとともに、微調整スタンドと墨出し器の心出しが容易となる。
【図面の簡単な説明】
【図１】本発明の第１の実施形態によるレーザ照射システムにおいて、レーザ墨出し器を微調整スタンドに設置した状態を示す斜視図。
【図２】本発明の第１の実施の形態による微調整スタントを示す斜視図。
【図３】図２のＩＩＩ−ＩＩＩ断面図。
【図４】本発明の第１の実施形態によるレーザ照射システムにおいて、レーザ墨出し器を微調整スタンドに設置した状態を示す断面図。
【図５】図２のＶ−Ｖ線に沿った断面図。
【図６】本発明の第１の実施形態によるレーザ照射システムを三脚上に取付けた状態を示す斜視図。
【図７】本発明の第１の実施形態によるレーザ照射システムのアダプタと固定べースとの接続状態を示し、（Ａ）は断面図、（Ｂ）はＶＩＩ−ＶＩＩ線に沿った断面図。
【図８】本発明の第２の実施形態によるレーザ照射システムにおいて、レーザ墨出し器を微調整スタンドに設置した状態を示す斜視図。
【図９】本発明の第２の実施の形態による微調整スタンドを示す斜視図。
【図１０】図９のＸ−Ｘ断面図。
【図１１】図１０の矢印ＸＩ方向から見た回転テーブルの座部付近の平面図。
【図１２】本発明の第２の実施形態によるレーザ照射システムにおいて、レーザ墨出し器を微調整スタンドに設置した状態を示す図８のＸＩＩ−ＸＩＩ線に沿った断面図。
【図１３】本発明の第２の実施形態によるレーザ照射システムにおいて、レーザ墨出し器を微調整スタンドに設置した状態を示す拡大断面図。
【図１４】従来のレーザ墨出し器のライン照射状態を示す説明図。
【符号の説明】
１…レーザ照射システム、  １０…レーザ墨出し器、  １１墨出し器本体、
１２…脚部、  １７…脚部本体、  １７Ｂ…当接面、  ２０…固定ベース、  ２２ｂ…嵌合面、  ３０  １３０…回転テーブル、  ３２Ａ…上部当接面、  ４０…微小回転調整部、  ４１…ピン、  ４２…調整ネジ、  ４３…ノブ、  ５０…アダプタ、  ５１ａ…回転阻止面、  ５２…固定ノブ、  ６０…三脚  ７０…バンド
【図１】
2004205260.tif 000003
【図２】
2004205260.tif 000004
【図３】
2004205260.tif 000005
【図４】
2004205260.tif 000006
【図５】
2004205260.tif 000007
【図６】
2004205260.tif 000008
【図７】
2004205260.tif 000009
【図８】
2004205260.tif 000010
【図９】
2004205260.tif 000011
【図１０】
2004205260.tif 000012
【図１１】
2004205260.tif 000013
【図１２】
2004205260.tif 000014
【図１３】
2004205260.tif 000015
【図１４】
2004205260.tif 000016